(57)【要約】【課題】  小型で、アンテナに対する妨害が少なく、送受信の性能の良好な無線通信モジュールを提供する。【解決手段】  本発明の無線通信モジュールにおいて、アンテナ５の外側近傍に配置された発光部材８は、アンテナ５の中央部に設けられた導体除去部５ｃが位置する回路基板１の一面、或いは導体除去部５ｃと対向する回路基板１の他面に配置された電力供給導体６ａとグランド導体６ｂに接続されるため、電力供給導体６ａとグランド導体６ｂの長さを短くできると共に、電力供給導体６ａとグランド導体６ｂによるアンテナ１の放射特性への影響が少なく、送受信の性能の良好なものが得られる。【選択図】        図２
2006121149.tif 000002
【特許請求の範囲】
【請求項１】
配線パターンを有し、この配線パターンに電子部品が接続されて所望の電気回路を形成した回路基板と、前記電気回路に接続され、前記回路基板に配置された送受信用の平板状で帯状のアンテナと、前記電気回路に接続された状態で、前記回路基板に取り付けられた発光部材とを備え、前記アンテナは、延びる方向の中央部に導体除去部が設けられた形状で形成され、前記導体除去部が位置する前記回路基板の一面、或いは前記導体除去部と対向する前記回路基板の他面には、前記発光部材に接続される電力供給導体とグランド導体が配置され、前記発光部材は、前記回路基板の前記一面側、或いは前記他面側に配設されると共に、前記アンテナの外側近傍に配置された状態で、前記電力供給導体と前記グランド導体に接続され、前記発光部材は、送受信時に発光、或いは点滅するようにしたことを特徴とする無線通信モジュール。
【請求項２】
配線パターンを有し、この配線パターンに電子部品が接続されて所望の電気回路を形成した回路基板と、前記電気回路に接続され、前記回路基板に配置された送受信用の平板状で帯状のアンテナと、前記電気回路に接続された状態で、前記回路基板に取り付けられた発光部材とを備え、前記アンテナは、延びる方向の中央部に導体除去部が設けられた形状で形成され、前記発光部材は、前記回路基板の一面側で前記導体除去部に対応する位置、或いは前記回路基板の他面側で前記導体除去部に対向する位置に配設されると共に、電力供給導体とグランド導体に接続された前記発光部材は、送受信時に発光、或いは点滅するようにしたことを特徴とする無線通信モジュール。
【請求項３】
前記導体除去部が位置する前記回路基板の前記一面、或いは前記導体除去部と対向する前記回路基板の前記他面には、前記発光部材に接続される前記電力供給導体と前記グランド導体が配置されたことを特徴とする請求項２記載の無線通信モジュール。
【請求項４】
前記アンテナ、前記電力供給導体、及び前記グランド導体が前記回路基板上に設けられた導電パターンによって形成されたことを特徴とする請求項１、又は請求項２，３の何れかに記載の無線通信モジュール。
【請求項５】
前記アンテナ、前記電力供給導体、及び前記グランド導体が前記回路基板の同一面である前記一面側に設けられたことを特徴とする請求項４記載の無線通信モジュール。
【請求項６】
前記グランド導体は、前記アンテナに接続され、前記アンテナを介して接地されたことを特徴とする請求項１から５の何れかに記載の無線通信モジュール。
【請求項７】
前記アンテナは、前記電気回路に接続される給電部を有し、前記グランド導体は、前記給電部に対して最遠位置にある前記導体除去部の近傍の位置で前記アンテナに接続されたことを特徴とする請求項６記載の無線通信モジュール。
【請求項８】
前記発光部材がＬＥＤによって形成されたことを特徴とする請求項１から７の何れかに記載の無線通信モジュール。
【請求項９】
前記回路基板は、四角形状をなすと共に、前記アンテナは、前記回路基板の前方辺の近傍に沿って配置されたことを特徴とする請求項１から８の何れかに記載の無線通信モジュール。
【請求項１０】
前記アンテナは、Ｌ字状をなし、前記回路基板の前方辺の近傍に沿って配置された第１の帯状部と、この第１の帯状部に繋がり、前記前方辺と直角をなす側辺に沿って形成された第２の帯状部を有し、前記導体除去部が前記第１，第２の帯状部に跨って形成されたことを特徴とする請求項９記載の無線通信モジュール。
【請求項１１】
前記回路基板、前記電子部品、及び前記発光部材の全体を覆う透光可能な絶縁材からなるカバーと、前記回路基板に結合されたコネクタを有し、このコネクタが電気機器に対して抜き差し可能で、前記コネクタによって、前記回路基板に形成された前記電気回路が前記電気機器に接続されると共に、前記コネクタが前記電気機器に装着された際、少なくとも前記発光部材が前記電気機器のケース外に突出し、前記発光部材の発光、或いは点滅が前記カバーを通して目視できるようにしたことを特徴とする請求項１から１０の何れかに記載の無線通信モジュール。
【発明の詳細な説明】
【技術分野】
【０００１】
本発明は、近距離無線装置に使用して好適な無線通信モジュールに関する。
【背景技術】
【０００２】
従来の無線通信モジュールの図面を説明すると、図７は従来の無線通信モジュールの斜視図、図８は従来の無線通信モジュールに係り、ＬＥＤを配置した状態の平面図である。
【０００３】
次に、従来の無線通信モジュールの構成を図７に基づいて説明すると、回路基板５１には、種々の電子部品５２が搭載されて所望の電気回路が形成されると共に、この電気回路に接続されたアンテナ５３が設けられ、また、回路基板５１の一端には、電気回路に接続されたコネクタ５４が結合されている。
【０００４】
そして、このような構成を有する従来の無線通信モジュールは、図７に示すように、パソコンやプリンタ等からなる電気機器５５のそれぞれに抜き差し可能となっており、無線通信モジュールが電気機器５５に装着された際は、コネクタ５４によって、回路基板５１に形成された電気回路が電気機器５５に接続されると共に、アンテナ５３を介して電気機器５５間で送受信が行われるようになっている。（例えば、特許文献１参照）
【０００５】
また、従来のＬＥＤ付の無線通信モジュールは、図８に示すように、回路基板５１に設けられたアンテナ５３は、配線パターン５６によって電気回路に接続されると共に、ＬＥＤ５７は、アンテナ５３から離れた位置で、回路基板５１の前方部にに配設され、このＬＥＤ５７は、一端が電力供給導体５８に接続されると共に、他端がグランド導体５９に接続され、電力供給導体５８とグランド導体５９とによって、アンテナ５３と配線パターン５６の外周部が囲まれた状態となっている。
【０００６】
このような構成を有する従来のＬＥＤ付の無線通信モジュールは、図８に示すように、無線通信モジュールが電気機器５５に装着された際は、コネクタ５４によって、回路基板５１に形成された電気回路が電気機器５５に接続され、アンテナ５３を介して電気機器５５間で送受信が行われると共に、送受信時、ＬＥＤ５７が発光して、電気機器５５が送受信状態であることを判別できるようになっている。
【０００７】
しかし、従来のＬＥＤ付の無線通信モジュールは、ＬＥＤ５７に接続された電力供給導体５８とグランド導体５９がアンテナ５３と配線パターン５６の外周部を囲んだ状態となっているため、電力供給導体５８とグランド導体５９が長くなり、且つ、電力供給導体５８とグランド導体５９がアンテナ５３の放射特性に大きな影響を与えて、送受信の性能が悪くなる。
【０００８】
また、ＬＥＤ５７は、アンテナ５３から離れた位置で、回路基板５１の前方部にに配設されているため、回路基板５１が大きくなって、コスト高で、大型になる。
【０００９】
【特許文献１】特開２００１−２８５１１９号公報
【発明の開示】
【発明が解決しようとする課題】
【００１０】
従来のＬＥＤ付の無線通信モジュールは、ＬＥＤ５７に接続された電力供給導体５８とグランド導体５９がアンテナ５３と配線パターン５６の外周部を囲んだ状態となっているため、電力供給導体５８とグランド導体５９が長くなり、且つ、電力供給導体５８とグランド導体５９がアンテナ５３の放射特性に大きな影響を与えて、送受信の性能が悪くなるという問題がある。
【００１１】
また、ＬＥＤ５７は、アンテナ５３から離れた位置で、回路基板５１の前方部にに配設されているため、回路基板５１が大きくなって、コスト高で、大型になるという問題がある。
【００１２】
そこで、本発明は小型で、アンテナに対する妨害が少なく、送受信の性能の良好な無線通信モジュールを提供することを目的とする。
【課題を解決するための手段】
【００１３】
上記課題を解決するための第１の解決手段として、配線パターンを有し、この配線パターンに電子部品が接続されて所望の電気回路を形成した回路基板と、前記電気回路に接続され、前記回路基板に配置された送受信用の平板状で帯状のアンテナと、前記電気回路に接続された状態で、前記回路基板に取り付けられた発光部材とを備え、前記アンテナは、延びる方向の中央部に導体除去部が設けられた形状で形成され、前記導体除去部が位置する前記回路基板の一面、或いは前記導体除去部と対向する前記回路基板の他面には、前記発光部材に接続される電力供給導体とグランド導体が配置され、前記発光部材は、前記回路基板の前記一面側、或いは前記他面側に配設されると共に、前記アンテナの外側近傍に配置された状態で、前記電力供給導体と前記グランド導体に接続され、前記発光部材は、送受信時に発光、或いは点滅するようにした構成とした。
【００１４】
また、第２の解決手段として、配線パターンを有し、この配線パターンに電子部品が接続されて所望の電気回路を形成した回路基板と、前記電気回路に接続され、前記回路基板に配置された送受信用の平板状で帯状のアンテナと、前記電気回路に接続された状態で、前記回路基板に取り付けられた発光部材とを備え、前記アンテナは、延びる方向の中央部に導体除去部が設けられた形状で形成され、前記発光部材は、前記回路基板の一面側で前記導体除去部に対応する位置、或いは前記回路基板の他面側で前記導体除去部に対向する位置に配設されると共に、電力供給導体とグランド導体に接続された前記発光部材は、送受信時に発光、或いは点滅するようにした構成とした。
【００１５】
また、第３の解決手段として、前記導体除去部が位置する前記回路基板の前記一面、或いは前記導体除去部と対向する前記回路基板の前記他面には、前記発光部材に接続される前記電力供給導体と前記グランド導体が配置された構成とした。
【００１６】
また、第４の解決手段として、前記アンテナ、前記電力供給導体、及び前記グランド導体が前記回路基板上に設けられた導電パターンによって形成された構成とした。
また、第５の解決手段として、前記アンテナ、前記電力供給導体、及び前記グランド導体が前記回路基板の同一面である前記一面側に設けられた構成とした。
【００１７】
また、第６の解決手段として、前記グランド導体は、前記アンテナに接続され、前記アンテナを介して接地された構成とした。
また、第７の解決手段として、前記アンテナは、前記電気回路に接続される給電部を有し、前記グランド導体は、前記給電部に対して最遠位置にある前記導体除去部の近傍の位置で前記アンテナに接続された構成とした。
【００１８】
また、第８の解決手段として、前記発光部材がＬＥＤによって形成された構成とした。
また、第９の解決手段として、前記回路基板は、四角形状をなすと共に、前記アンテナは、前記回路基板の前方辺の近傍に沿って配置された構成とした。
【００１９】
また、第１０の解決手段として、前記アンテナは、Ｌ字状をなし、前記回路基板の前方辺の近傍に沿って配置された第１の帯状部と、この第１の帯状部に繋がり、前記前方辺と直角をなす側辺に沿って形成された第２の帯状部を有し、前記導体除去部が前記第１，第２の帯状部に跨って形成された構成とした。
【００２０】
また、第１１の解決手段として、前記回路基板、前記電子部品、及び前記発光部材の全体を覆う透光可能な絶縁材からなるカバーと、前記回路基板に結合されたコネクタを有し、このコネクタが電気機器に対して抜き差し可能で、前記コネクタによって、前記回路基板に形成された前記電気回路が前記電気機器に接続されると共に、前記コネクタが前記電気機器に装着された際、少なくとも前記発光部材が前記電気機器のケース外に突出し、前記発光部材の発光、或いは点滅が前記カバーを通して目視できるようにした構成とした。
【発明の効果】
【００２１】
本発明の無線通信モジュールは、配線パターンを有し、この配線パターンに電子部品が接続されて所望の電気回路を形成した回路基板と、電気回路に接続され、回路基板に配置された送受信用の平板状で帯状のアンテナと、電気回路に接続された状態で、回路基板に取り付けられた発光部材とを備え、アンテナは、延びる方向の中央部に導体除去部が設けられた形状で形成され、導体除去部が位置する回路基板の一面、或いは導体除去部と対向する回路基板の他面には、発光部材に接続される電力供給導体とグランド導体が配置され、発光部材は、回路基板の一面側、或いは他面側に配設されると共に、アンテナの外側近傍に配置された状態で、電力供給導体とグランド導体に接続され、発光部材は、送受信時に発光、或いは点滅するようにした構成とした。
即ち、アンテナの外側近傍に配置された発光部材は、導体除去部が位置する回路基板の一面、或いは導体除去部と対向する回路基板の他面に配置された電力供給導体とグランド導体に接続されるため、電力供給導体とグランド導体の長さを短くできると共に、電力供給導体とグランド導体によるアンテナの放射特性への影響が少なく、送受信の性能の良好なものが得られる。
【００２２】
また、配線パターンを有し、この配線パターンに電子部品が接続されて所望の電気回路を形成した回路基板と、電気回路に接続され、回路基板に配置された送受信用の平板状で帯状のアンテナと、電気回路に接続された状態で、回路基板に取り付けられた発光部材とを備え、アンテナは、延びる方向の中央部に導体除去部が設けられた形状で形成され、発光部材は、回路基板の一面側で導体除去部に対応する位置、或いは回路基板の他面側で導体除去部に対向する位置に配設されると共に、電力供給導体とグランド導体に接続された発光部材は、送受信時に発光、或いは点滅するようにしたため、発光部材は、アンテナの導体除去部の位置、或いは導体除去部に対向した位置に配置できて、スペースファクタが良く、小型化できると共に、回路基板も小さくできて、安価なものが得られる。
【００２３】
また、導体除去部が位置する回路基板の一面、或いは導体除去部と対向する回路基板の他面には、発光部材に接続される電力供給導体とグランド導体が配置されたため、電力供給導体とグランド導体の長さを短くできると共に、電力供給導体とグランド導体によるアンテナの放射特性への影響が少なく、送受信の性能の良好なものが得られる。
【００２４】
また、アンテナ、電力供給導体、及びグランド導体が回路基板上に設けられた導電パターンによって形成されたため、アンテナ、電力供給導体、及びグランド導体の形成が容易となって、生産性が良く、安価なものが得られる。
【００２５】
また、アンテナ、電力供給導体、及びグランド導体が回路基板の同一面である一面側に設けられたため、アンテナ、電力供給導体、及びグランド導体の形成が容易となって、生産性が良く、安価なものが得られる。
【００２６】
また、グランド導体は、アンテナに接続され、アンテナを介して接地されたため、グランド導体の接続が簡単で、容易なものが得られる。
【００２７】
また、アンテナは、電気回路に接続される給電部を有し、グランド導体は、給電部に対して最遠位置にある導体除去部の近傍の位置でアンテナに接続されたため、アンテナの性能の良好なものが得られる。
【００２８】
また、発光部材がＬＥＤによって形成されたため、寿命の長いものが得られる。
【００２９】
また、回路基板は、四角形状をなすと共に、アンテナは、回路基板の前方辺の近傍に沿って配置されたため、アンテナの配置をコンパクトにできて、小型のものが得られる。
【００３０】
また、アンテナは、Ｌ字状をなし、回路基板の前方辺の近傍に沿って配置された第１の帯状部と、この第１の帯状部に繋がり、前方辺と直角をなす側辺に沿って形成された第２の帯状部を有し、導体除去部が第１，第２の帯状部に跨って形成されたため、アンテナを長くできると共に、発光部材を前方部に位置させることができて、発光部材の発光、或いは点滅の目視の容易なものが得られる。
【００３１】
また、回路基板、電子部品、及び発光部材の全体を覆う透光可能な絶縁材からなるカバーと、回路基板に結合されたコネクタを有し、このコネクタが電気機器に対して抜き差し可能で、コネクタによって、回路基板に形成された電気回路が電気機器に接続されると共に、コネクタが電気機器に装着された際、少なくとも発光部材が電気機器のケース外に突出し、発光部材の発光、或いは点滅がカバーを通して目視できるようにしたため、カバーによって、埃等の電気回路への侵入が防止できて、故障が無く、寿命の長いものが得られると共に、電気機器への挿脱が容易で、発光部材の発光、或いは点滅の目視の確実なものが得られる。
【発明を実施するための最良の形態】
【００３２】
本発明の無線通信モジュールの図面を説明すると、図１は本発明の無線通信モジュールの第１実施例に係る平面図、図２は本発明の無線通信モジュールの第１実施例に係り、カバーを取り外した状態を示す平面図、図３は本発明の無線通信モジュールの第１実施例に係る要部断面図、図４は本発明の無線通信モジュールの第１実施例に係り、発光部材が取り付けられる前の状態を示す平面図、図５は本発明の無線通信モジュールの第２実施例に係る要部断面図、図６は本発明の無線通信モジュールの第３実施例に係り、カバーを取り外した状態を示す平面図である。
【００３３】
次に、本発明の無線通信モジュールの第１実施例に係る構成を図１〜図４に基づいて説明すると、四角形状の回路基板１の両面には、導電パターンからなる配線パターン２が設けられ、この配線パターン２には、送受信回路等が形成された制御用ＩＣ３と、その他の電子部品４が搭載されて、所望の電気回路が形成されている。
【００３４】
平板状で、Ｌ字状からなるアンテナ５は、配線パターン２と同様に導電パターンで形成され、回路基板１の前方辺１ａの近傍に沿って配置された第１の帯状部５ａと、この第１の帯状部５ａに繋がり、前方辺１ａと直角をなす側辺１ｂに沿って形成された第２の帯状部５ｂと、第１，第２の帯状部に跨って形成され、中央部に設けられた帯状の溝部からなる導体除去部５ｃと、第１の帯状部５ａに繋がった状態で、第２の帯状部５ｂと平行に配置されたマッチング導体部５ｄと、電気回路に接続される給電部５ｅを有する。
【００３５】
このアンテナ５は、中央部に導体除去部５ｃが設けられた形状で形成されると共に、第２の帯状部５ａに位置する給電部５ｅが配線パターン２によって電気回路に接続されると共に、マッチング導体５ｄの端部が接地された状態となっている。
なお、この実施例では、アンテナ５が導電パターンによって形成されたもので説明したが、打ち抜き加工された金属板を使用しても良い。
【００３６】
電力供給導体６ａとグランド導体６ｂは、アンテナ５と同様に導電パターンで形成されると共に、回路基板１上の導体削除部５ｃに位置して形成され、電力供給導体６ａの一端側は、給電部５ｅ側で、回路基板１の他面側に配置された接続導体７によって、電気回路に接続され、グランド導体６ｂの一端側は、第１の帯状部５ａに接続されて、マッチング導体５ｄを介して接地されている。
また、グランド導体６ｂは、給電部５ｅに対して最遠位置にある導体除去部５ｃの近傍の位置で第１の帯状部５ａに接続された状態となっている。
【００３７】
ＬＥＤ等からなる発光部材８は、導体削除部５ｃ内に位置した状態で、電力供給導体６ａとグランド導体６ｂの他端部に接続されており、この発光部材８は、送受信時に、発光、或いは点滅を行うようになっている。
また、発光部材８は、両側部の一部が第１の帯状部５ａに跨った状態で、導体削除部５ｃに対応（対向）して配置されたものでも良い。
【００３８】
なお、上記実施例における電力供給導体６ａとグランド導体６ｂは、回路基板１の裏面側、即ち、アンテナ５が形成された面（上面）と反対側の面で、導体削除部５ｃに対向する箇所に形成しても良く、また、導電パターンからなる電力供給導体６ａとグランド導体６ｂの代わりに、発光部材８は、絶縁被覆線等によって配線を行っても良い。
【００３９】
ＵＳＢコネクタ等からなるコネクタ９は、回路基板１の電気回路に接続された状態で、回路基板１の一端側に結合されており、このコネクタ９は、後述する電気機器１１に抜き差し可能となっている。
【００４０】
絶縁材からなる箱形のカバー１０は、透光可能な材料で形成され、このカバー１０は、回路基板１、制御用ＩＣ３，電子部品４、及び発光部材８の全体を覆った状態で取り付けられて、本発明の無線通信モジュールが形成されている。
【００４１】
このような本発明の無線通信モジュールは、図１に示すように、パソコンやプリンタ等からなる電子機器１１のそれぞれに抜き差し可能となっており、無線通信モジュールが電気機器１１に装着された際は、コネクタ９によって、回路基板１に形成された電気回路が電気機器１１に接続されると共に、少なくとも発光部材８の箇所が電気機器１１のケース１２外に突出した状態となる。
【００４２】
そして、電気機器１１間で送受信が行われると、送受信時、発光部材８の発光、或いは点滅がカバー１０を通して目視できるようなり、電気機器１１が送受信状態であることを判別できるようになっている。
【００４３】
また、図５は本発明の無線通信モジュールの第２実施例を示し、この第２実施例を説明すると、発光部材８が回路基板１の裏面側で、導体削除部５ｃに対向した状態で取り付けられると共に、回路基板１には、導体削除部５ｃの位置に孔１ｃが設けられ、この孔１ｃを通して、送受信時の発光部材８の発光、或いは点滅が上面から目視できるようにしたものである。
【００４４】
その他の構成は、上記第１実施例と同様の構成を有し、同一部品に同一番号を付し、ここではその説明を省略する。
【００４５】
なお、この第２実施例は、孔１ｃを無くして、裏面側から発光部材８の発光、或いは点滅が目視できるようにしても良く、また、電力供給導体６ａとグランド導体６ｂは、回路基板１の裏面側、即ち、アンテナ５が形成された面（上面）と反対側の面で、導体削除部５ｃに対向する箇所に形成しても良く、更に、導電パターンからなる電力供給導体６ａとグランド導体６ｂの代わりに、発光部材８は、絶縁被覆線等によって配線を行っても良い。
【００４６】
また、図６は本発明の無線通信モジュールの第３実施例を示し、この第３実施例を説明すると、発光部材８は、アンテナ５の第１帯状部５ａの外側近傍に配置されると共に、発光部材８が導体削除初５ｃ内に位置した電力供給導体６ａとグランド導体６ｂに接続されたものである。
【００４７】
その他の構成は、上記第１実施例と同様の構成を有し、同一部品に同一番号を付し、ここではその説明を省略する。
【００４８】
なお、この第３実施例の発光部材８は、回路基板１の裏面側、即ち、アンテナ５が形成された面（上面）と反対側の面に配置しても良く、また、電力供給導体６ａとグランド導体６ｂは、回路基板１の裏面側、即ち、アンテナ５が形成された面（上面）と反対側の面で、導体削除部５ｃに対向する箇所に形成しても良く、更に、導電パターンからなる電力供給導体６ａとグランド導体６ｂの代わりに、絶縁被覆線等を用いても良い。
【図面の簡単な説明】
【００４９】
【図１】本発明の無線通信モジュールの第１実施例に係る平面図。
【図２】本発明の無線通信モジュールの第１実施例に係り、カバーを取り外した状態を示す平面図。
【図３】本発明の無線通信モジュールの第１実施例に係る要部断面図。
【図４】本発明の無線通信モジュールの第１実施例に係り、発光部材が取り付けられる前の状態を示す平面図。
【図５】本発明の無線通信モジュールの第２実施例に係る要部断面図。
【図６】本発明の無線通信モジュールの第３実施例に係り、カバーを取り外した状態を示す平面図。
【図７】従来の無線通信モジュールの斜視図。
【図８】従来の無線通信モジュールに係り、ＬＥＤを配置した状態の平面図。
【符号の説明】
【００５０】
１：回路基板
１ａ：前方辺
１ｂ：側辺
１ｃ：孔
２：配線パターン
３：制御用ＩＣ
４：電子部品
５：アンテナ
５ａ：第１の帯状部
５ｂ：第２の帯状部
５ｃ：導体削除部
５ｄ：マッチング導体
５ｅ：給電部
６ａ：電力供給導体
６ｂ：グランド導体
７：接続導体
８：発光部材
９：コネクタ
１０：カバー
１１：電気機器
１２：ケース
【図１】
2006121149.tif 000003
【図２】
2006121149.tif 000004
【図３】
2006121149.tif 000005
【図４】
2006121149.tif 000006
【図５】
2006121149.tif 000007
【図６】
2006121149.tif 000008
【図７】
2006121149.tif 000009
【図８】
2006121149.tif 000010